(57)【特許請求の範囲】
【請求項１】
高速で回転する回転体と、該回転体の中央に配置され、下方に拡径部を有する筒状の案内筒と、該案内筒の前記拡径部の周方向に沿って等間隔に設けられた複数の通液孔と、前記案内筒の軸方向に沿って所定間隔で多数積層され、該案内筒の前記通液孔と対応する位置に設けられた複数の通液孔および該通液孔相互間に等間隔に配置された間隙片とを備えた笠状の分離板とを有する分離板型遠心分離機において、
前記分離板の間隙片を、該分離板の円錐母線に沿った短冊状として隣接する分離板相互間に前記短冊状間隙片で仕切られた複数の単位分離領域を形成するとともに、前記通液孔を、各単位分離領域の回転体回転方向前方の前記短冊状間隙片の近傍に設けて分離板の内壁面に向かって沈降する固形分粒子が受ける原液流の影響を、前記通液孔を前記単位分離領域を仕切る隣接する短冊状間隙片相互の中間部に設けた場合よりも小さくしたことを特徴とする分離板型遠心分離機。
【請求項２】
前記通液孔は、前記分離板の外周端に沿って設けられていることを特徴とする請求項１記載の分離板型遠心分離機。
【請求項３】
前記短冊状間隙片が、前記分離板の円錐母線に対し、前記分離板の回転方向に向かって所定角度傾斜して設けられていることを特徴とする請求項１又は２に記載の分離板型遠心分離機。
【請求項４】
高速で回転する回転体と、該回転体の中央に配置され、下方に拡径部を有する筒状の案内筒と、該案内筒の前記拡径部の周方向に沿って等間隔に設けられた複数の通液孔と、前記案内筒の軸方向に沿って所定間隔で多数積層され、案内筒の前記通液孔と対応する位置に設けられた複数の通液孔および該通液孔相互間に等間隔に配置された間隙片とを備えた笠状の分離板とを有する分離板型遠心分離機の前記分離板において、
前記間隙片を、当該分離板の円錐母線に沿った短冊状とし、前記通液孔を、前記短冊状間隙片の分離板回転方向後方に隣接して設けて分離板の内壁面に向かって沈降する固形分粒子が受ける原液流の影響を、前記通液孔を前記単位分離領域を仕切る隣接する短冊状間隙片相互の中間部に設けた場合よりも小さくしたことを特徴とする分離板型遠心分離機の分離板。
【請求項５】
前記通液孔は、当該分離板の外周端に沿って設けられていることを特徴とする請求項４記載の分離板型遠心分離機の分離板。
【請求項６】
前記短冊状間隙片が、当該分離板の前記円錐母線に対し、前記分離板の回転方向に向かって所定角度傾斜して設けられていることを特徴とする請求項４又は５に記載の分離板型遠心分離機の分離板。
【発明の詳細な説明】
【０００１】
【発明の属する技術分野】
本発明は、分離板型遠心分離機およびこれに用いる分離板に係り、特に、分離効率を高め、分離能力を理論計算上の能力に近づけることができる分離板型遠心分離機およびこれに用いる分離板に関する。
【０００２】
【従来の技術】
分離板型遠心分離機は、遠心力および沈降面積が共に大きく、船舶用ディーゼルエンジンの燃料油、潤滑油の浄化をはじめ、多くの産業用分野で処理液中の不純物の除去、例えば固形微粒子を取り除く清浄機として採用されている。
【０００３】
図６は、このよう分離板型遠心分離機の代表機種である自己排出型（ＳＪ型）の分離板型遠心分離機の回転体を示す断面図、図７は、図６の分離板を示す斜視図、図８は、図７の上方向からの視図である。図６において、この回転体２０は、高速で回転する回転体本体２１と、該回転体本体２１の中央に配置され、下方に拡径部２３を有する筒状の案内筒２２と、該案内筒２２の前記拡径部２３の周方向に沿って等間隔に設けられた複数の通液孔２５と、前記案内筒２２の軸方向に沿って所定間隔で多数積層された分離板２６とから主として構成されている。分離板２６は、図７に示したように、案内筒２２の拡径部２３の周方向に沿って設けられた多数の通液孔２５に対応する複数の通液孔２７および該分離板流通孔２７相互間に等間隔に設けられた間隙片２８とを有している。
【０００４】
なお、図６中３０は、原液入口管、３１は、案内筒２２に設けられたリブ、３２は、回転軸、３３は、回転体本体２１を前記回転軸３２に固定する袋ナット、３４は、弁シリンダ、３５は、軽液排出路である。
【０００５】
このような構成の、分離板型遠心分離機の回転体２０は、例えば９０００ｒｐｍで高速回転し、原液入口管３０から導入された原液は、案内筒２２の拡径部２３の下面に沿って外周方向に流通し、リブ３１の作用によって案内筒２２と共に回転して遠心力が付与される。遠心力が付与され、案内筒２２の外周近傍まで到達した原液は、前記案内筒２２の通液孔２５に流入し、該案内筒通液孔２５に対応して形成された、分離板２６の通液孔２７が連通する流通路を上向流として流れる。このとき原液の一部は最も下の分離板とその上に位置する分離板との間の分離空隙に流入し、他の一部は下から２番目の分離板とその上に位置する分離板との間の分離空隙に流入し、以下順次分離板積層体の分離板相互間に形成される分離空隙に分配され、流入する。
【０００６】
分離板相互間の分離空隙に流入した原液は、分離板２６の中心方向に向かって流れ、固形分は遠心沈降によって分離空隙を形成する上側分離板の下面に沈降し、該分離板の下面に沿って外周方向に移動し、他の固形分と集合、堆積して分離板の外周端を経て分離板積層体の周囲の空間部に到り、回転体内の最大径部に堆積する。堆積した固形分は、弁シリンダ３４の開閉により定期的に排出される。他方、固形分が分離された処理液（以下、軽液ともいう）は、分離空隙の下側分離板２６の上面に沿って内周方向に流動し、分離板２６の内周と案内筒２２との間の軽液排出路３５を経て回転体２０から流出し、固形分が分離除去された軽液として回収される。
【０００７】
このような分離板型遠心分離機における理論計算上の分離能力を得るための条件として、例えば▲１▼分離板が寸法的に均質であり、その表面に傷がなく乱流の原因をつくらないこと、▲２▼被処理原液が案内筒から等量づつ各分離板相互間の空隙に分配されて回転体と等速で回転すること、▲３▼分離板相互間の空隙に分配された被処理原液が同一円周上に均質に広がること、▲４▼各分離板相互間の空隙を流れる同一円周上の全ての粒子が均等な速度で放射線的に中心に向かって流れること、▲５▼被処理原液が完全に均質化されたものであり、ＳＳ分（suspended solid ）が凝縮しておらず、見掛け比重が真比重に近いこと等が挙げられる。
【０００８】
【発明が解決しようとする課題】
通常の被処理液においては、従来の分離板型遠心分離機で、前記した理論計算上の分離能力を得ることができているが、近年は、従来の分離板型遠心分離機では分離能力が不十分となるような、より細かい粒子を含有する被処理液の分離など、より高い分離性能が要求されてきている。従って、本発明の課題は、従来の分離板型遠心分離機では不十分となるような被処理液でも分離処理できる分離性能をもった分離板型遠心分離機およびこれに用いる分離板を提供することにある。
【０００９】
【課題を解決するための手段】
上記課題を解決するため本発明者は、分離板の間隙片形状と分離板の通液孔位置と分離板相互間に流入した原液の拡散状況との関係等について鋭意研究した結果、分離板の間隙片を、笠状を呈する前記分離板の円錐母線に沿った短冊状として隣接する分離板相互間に前記短冊状間隙片で仕切られた複数の分離間隙を形成するとともに、前記分離板の通液孔を、各分離間隙の回転体回転方向前方の短冊状間隙片の近傍に設けることにより、被処理原液と分離板との等速回転を損なうことなく、分離板の全遠心沈降面積が均等に利用されることを見出し、本発明に到達した。
【００１０】
すなわち、本願で特許請求する発明は、以下のとおりである。
（１）高速で回転する回転体と、該回転体の中央に配置され、下方に拡径部を有する筒状の案内筒と、該案内筒の前記拡径部の周方向に沿って等間隔に設けられた複数の通液孔と、前記案内筒の軸方向に沿って所定間隔で多数積層され、該案内筒の前記通液孔と対応する位置に設けられた複数の通液孔および該通液孔相互間に等間隔に配置された間隙片とを備えた笠状の分離板とを有する分離板型遠心分離機において、前記分離板の間隙片を、該分離板の円錐母線に沿った短冊状として隣接する分離板相互間に前記短冊状間隙片で仕切られた複数の単位分離領域を形成するとともに、前記通液孔を、各単位分離領域の回転体回転方向前方の前記短冊状間隙片の近傍に設けて分離板の内壁面に向かって沈降する固形分粒子が受ける原液流の影響を、前記通液孔を前記単位分離領域を仕切る隣接する短冊状間隙片相互の中間部に設けた場合よりも小さくしたことを特徴とする分離板型遠心分離機。
（２）前記通液孔は、前記分離板の外周端に沿って設けられていることを特徴とする（１）記載の分離板型遠心分離機。
（３）前記短冊状間隙片が、前記分離板の円錐母線に対し、前記分離板の回転方向に向かって所定角度傾斜して設けられていることを特徴とする（１）又は（２）に記載の分離板型遠心分離機。
【００１１】
（４）高速で回転する回転体と、該回転体の中央に配置され、下方に拡径部を有する筒状の案内筒と、該案内筒の前記拡径部の周方向に沿って等間隔に設けられた複数の通液孔と、前記案内筒の軸方向に沿って所定間隔で多数積層され、案内筒の前記通液孔と対応する位置に設けられた複数の通液孔および該通液孔相互間に等間隔に配置された間隙片とを備えた笠状の分離板とを有する分離板型遠心分離機の前記分離板において、前記間隙片を、当該分離板の円錐母線に沿った短冊状とし、前記通液孔を、前記短冊状間隙片の分離板回転方向後方に隣接して設けて分離板の内壁面に向かって沈降する固形分粒子が受ける原液流の影響を、前記通液孔を前記単位分離領域を仕切る隣接する短冊状間隙片相互の中間部に設けた場合よりも小さくしたことを特徴とする分離板型遠心分離機の分離板。
（５）前記通液孔は、当該分離板の外周端に沿って設けられていることを特徴とする（４）記載の分離板型遠心分離機の分離板。
（６）前記短冊状間隙片が、当該分離板の前記円錐母線に対し、前記分離板の回転方向に向かって所定角度傾斜して設けられていることを特徴とする（４）又は（５）に記載の分離板型遠心分離機の分離板。
【００１２】
【発明の実施の形態】
図１は、本発明の一実施例を示す分離板型遠心分離機の分離板を示す斜視図、図２は、その上方向からの視図である。図において、この分離板（ディスク）１は、例えば厚さ０．５ｍｍのステンレス鋼からなる笠状、すなわち上端部を開放底面に平行な直線で切除した円錐形状を呈しており、間隙片を、分離板の円錐母線に沿った短冊状間隙片２とし、分離板通液孔３を、前記短冊状間隙片２の分離板回転方向後方に隣接して設けたものである。５は、案内筒との位置決め用の切欠部である。なお、４は、分離板の回転方向を示す矢印である。
【００１３】
このような分離板１を回転体本体に装填する際は、図３に示したように、分離板１の切欠部５を、案内筒６の中心軸に沿ってその外面に設けられた、図示省略した位置決め用突出部に嵌合するように多数組み込んで積層し、案内筒６の拡径部７上に所定枚数、例えば１００枚を積層した分離板積層体８を構成する。このとき案内筒６の通液孔９は、分離板１の通液孔３が連通した原液流通路１０と連通する位置に形成される。分離板１相互の間隔は、分離板１に設けられた短冊状間隙片２によって確保され、例えば０．６ｍｍである。
【００１４】
このようにして構成された分離板積層体８は、上述した図６の回転体本体内に組み込まれ原液の清浄、例えば潤滑油中の固形分の除去に適用される。以下、図６を参照しつつ、本発明の分離板を適用した分離板型遠心分離機の作用を説明する。
【００１５】
図１の分離板１を所定枚数積層した分離板積層体８が装填された遠心分離機の回転体に、その上方の液入口管から原液として例えば金属粉等の固形分を不純物として含む潤滑油を供給すると、該潤滑油は、案内筒６の拡径部７の下面に沿って外周方向に流れると同時に案内筒の内壁面に沿って設けられたリブの作用によって案内筒７と共に高速、例えば約９０００ｒｐｍで回転し、遠心力が付与される。遠心力が付与され、案内筒６の拡径部７の外周近傍まで到達した被処理潤滑油は、前記案内筒６の通液孔９に流入し、分離板積層体８に形成された原液流通路１０を上向流として流れるとともに、各分離板１の通液孔３から分離板相互間に形成された、短冊状間隙片２で仕切られた分離間隙（以下、単位分離領域ともいう）に均等に分散され、軽液分は他の軽液粒子と集合しながら分離板１の中心方向に向かって流れ、案内筒６と分離板積層体８の内径との間の軽液排出路（図６参照）を経て処理後潤滑油として回収される。一方、重量成分である固形分は、軽液の流れに沿って単位分離領域内を分離板積層体の中心方向に流れ、遠心力を受けて上側分離板１の下面に沈降し、該分離板１の下面に沿って、他の固形分粒子と集合しつつ分離板１の外周方向に移動し、分離板積層体８の周囲に形成された空間部に堆積し、必要に応じてまたは定期的に排出される。
【００１６】
本実施例によれば、分離板１の間隙片を短冊状としたことと、分離板１の通液孔３を、各単位分離領域の回転体回転方向前方の短冊状間隙片２に隣接して設けたことの相乗効果により、例えば、関東ローム粉などの標準粉体１１種の固形分等のより細かい粒子を含有する被処理液の分離が可能となり、また安定した分離性能を得ることができる。従って、例えば従来、２段分離処理していたものを１段で処理することができるようになるか、または２段目の負荷を著しく低減することができる。
【００１７】
すなわち、本実施例によれば、分離板１の間隙片を短冊状としたことにより、隣接する分離板相互間に、前記短冊状間隙片で仕切られた複数の単位分離領域が形成され、該単位分離領域に流入した被処理液が隣接する単位分離領域に流入した被処理液の影響を受けず、高い遠心力を有した状態が維持されるので分離効率が向上する。
【００１８】
また、分離板１の通液孔３を、各単位分離領域の回転体回転方向前方の短冊状間隙片２に隣接して設けたことにより、通液孔３から流出して単位分離領域内に分散された原液が単位分離領域の全分離板表面に均一に分散されるとともに、軽液と分離されて上側分離板の内面に沈降した固形分の分離板外周方向への移動経路と供給、分散される原液の流通経路とが直接交叉する機会を著しく減少することができるので、固形分の分離効率が向上し、例えば潤滑油中の有機物、１μｍ以下の無機化合物、金属粉等でも効率よく分離、除去することができる。
【００１９】
本発明において、案内筒拡径部および分離板の通液孔は、その外周端に沿って設けることが好ましい。これによって分離板の有効沈降面積を広くとることができる。また、短冊状間隙片の上面外周部に面取り処理を施すことが好ましい。これにより、単位分離領域の、隣接する単位分離領域との仕切りが完全なものとなり、被処理液の乱流を阻止し、分離効率の向上を図ることができる。
【００２０】
次に、図４（Ａ）、（Ｂ）を用いて本発明の原理を説明する。
【００２１】
図４（Ｂ）は、通液孔３を間隙片２相互の中央部に設けた分離板を用いた遠心分離機の分離状況を示す説明図である。図において、分離板１の通液孔３から単位分離領域内に分散された原液中の固形分のうち、例えば通液孔３の図中右側ａ点を沈降開始点とする固形分粒子は、通液孔３の前方を横切って内側（図中上方向）に移動しながら、上側分離板の内壁面に向かって沈降し、例えば沈降完了点である点ｂで分離板の内壁面に到達する。このとき固形分粒子は、前記通液孔３から供給された原液の流れの影響を直接受けるので、沈降完了点ｂまでの距離はその影響を受けない場合に比べてはるかに長くなる。細かい粒子、軽液と比重差の小さい粒子ほど原液流の影響を受け易く、沈降完了点ｂが遠くなるので、所定粒径以下の細かい粒子は単位沈降領域内（分離板内）で沈降完了点に到達できず、軽液と共に分離板積層体から流出することになる。また、単位沈降領域内で上側分離板の内壁面に到達し、該内壁面に沿って分離板外周方向（図中下方向）に移動する沈降粒子も、前記通液孔３から導入される原液の流れと直接交叉するように流れるので、その一部が原液流に伴って分離板内周方向へ流され、一旦分離されたにも拘らず軽液に混入し、分離効率を低下させる虞がある。このように、単位沈降領域を形成する二つの短冊状間隙片２のほぼ中央に通液孔３を設けた場合は、通液孔３の図中右側半分に沈降開始点ａまたは沈降完了点ｂが位置する固形分粒子の流れが原液流の影響を直接受けることになり、分離効率向上の妨げとなっていた。
【００２２】
これに対して図４（Ａ）に示した本発明の分離板は、単位沈降領域を形成する短冊状間隙片２の回転体回転方向前流側の間隙片に隣接して通液孔３を設けたことにより、該通液孔３から導入、分散される原液中の、例えば沈降開始点を点ａとする固形分粒子は通液孔３から導入された原液流と直接交叉することなく原液の流れに沿って内周方向に移動し、かつ分離板の内壁面に向かって沈降するので、固形分粒子が受ける原液流の影響が上述した図４（Ｂ）の場合に比べてはるかに小さくなる。従って、同一径の固形分粒子であれば、図４（Ｂ）の場合に比べて沈降完了点ｂまでの距離が著しく短くなる。また、沈降後の固形分粒子が分離板の外周まで移動する際にも原液流と直接交叉することがないので原液流の影響を受けることはない。このように本発明の分離板を採用することにより、分離板１の内周端までに沈降完了点ｂに到る固形分の粒子径が図４（Ｂ）の場合よりも小さくなり、固形分の分離効率が向上する。
【００２３】
ここで、通液孔３を単位沈降領域の回転方向前方側短冊状間隙片に隣接して設けたことによる分離効率への影響について試算する。
【００２４】
いま、分離板の内径を６６φ、外径を１５２φとし、固形分粒子が分離板の垂直母線に沿って最短距離を移動すると仮定した場合の沈降距離Ｌは（通液孔３を分離板の最外殻に設け、通液孔の大きさを無視するものとする）、
Ｌ＝（１／２）・（１５２−６６）＝４３（ｍｍ）となる。
【００２５】
原液中の固形分の移動速度Ｖを１．６２（ｍ／ｓｅｃ）と仮定すると、単位沈降領域における固形分粒子の滞留時間Ｔは、
Ｔ＝Ｌ／Ｖ＝４３／（１．６２×１００）＝０．２６５（ｓｅｃ）となる。
従って、通液孔３から流出し、その周囲に分散された原液中の固形分粒子は、０．２６５（ｓｅｃ）以内に沈降完了点に到達しない限り、沈降することなく軽液に同伴して排出されることになる。
【００２６】
ここで通液孔３を短冊状間隙片２相互の中央に設けた分離板（図４Ｂ）において、原液流の影響を受ける固形分粒子は、通液孔３の図中右側に供給、分散された、全体の５０％であり、そのうちの２０％が分離されることなく軽液に同伴すると仮定すると、
（１−０．５×０．２）×１００＝９０（％）
（（１００／９０）−１）×１００＝１１．１（％）となって、本発明を採用することにより、分離効率が約１０％向上する。なお、分離板の通液孔および間隙片のみを変更した同一条件の分離性能試験では、本発明の分離板を用いた場合の分離効率は図４（Ｂ）の分離板を用いた場合に比べて約２０％上昇した。
【００２７】
本発明において、図５に示したように、短冊状間隙片２を分離板１の円錐母線に対し所定角度傾斜して設けることもできる。これによって、沈降開始点ａから沈降完了点ｂに至った固形分粒子が早めに短冊状間隙片２に到達し、その後は前記間隙片２に沿って外周方向に移動するので、分離された固形分粒子が受ける原液流の影響がより少なくなって固形分の分離効率がさらに向上する。
【００２８】
【発明の効果】
本願の請求項１に記載の発明によれば、分離板相互間に間隙片で区切られた複数の分離間隙が設けられ、該分離間隙に導入された被処理液が、隣接する単位分離領域に流入した被処理液の影響を受けず、高い遠心力を有した状態を維持することができ、しかも固形分粒子の移動経路を直接原液流と交叉させることなく原液の流路と固形分の流出流路を分離することができるので、固形分粒子の沈降完了点までの距離が短くなり、分離効率が著しく向上する。
【００２９】
本願の請求項４に記載の発明によれば、上記発明と同様、従来技術と比較してより高い分離性能を得ることができる。
【図面の簡単な説明】
【図１】本発明の一実施例を示す分離板の斜視図。
【図２】図１の上方向視図。
【図３】分離板積層体を示す説明図。
【図４】本発明の原理を示す説明図。
【図５】本発明の実施の態様を示す説明図。
【図６】分離板型遠心分離機の回転体の説明図。
【図７】従来技術を示す説明図。
【図８】図７の上方向視図。
【符号の説明】
１…分離板、２…短冊状間隙片、３…通液孔、４…分離板の回転方向を示す矢印、５…切欠部、６…案内筒、７…案内筒の拡径部、８…分離板積層体、９…案内筒の通液孔、１０…原液流通路、２０…回転体、２１…回転体本体、２２…案内筒、２３…案内筒の拡径部、２５…案内筒の通液孔、２６…分離板、２７…分離板の通液孔、２８…間隙片、２９…切欠部、３０…原液入口管、３１…案内筒のリブ、３２…回転軸、３３…袋ナット、３４…弁シリンダ、３５…軽液排出路。
【図１】
0004745526.tif 000002
【図２】
0004745526.tif 000003
【図３】
0004745526.tif 000004
【図４】
0004745526.tif 000005
【図５】
0004745526.tif 000006
【図６】
0004745526.tif 000007
【図７】
0004745526.tif 000008
【図８】
0004745526.tif 000009